(57)【要約】【課題】通信のための電界を局所的に誘起させる際の不都合を解消する。【解決手段】トランシーバ４では、信号電極４１１に絶縁体４１２を介してグラウンド電極４１３を沿わせられている。これにより、テーブル１の部分１ａ以外に及ぶ電界や放射電磁界が弱くなり、よって、信号盗聴や混信の虞を低減することができる。また、こうすることで、信号電極４１１により受信されるトランシーバ５からの電界のノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。【選択図】図１
2009290759.tif 000002
【特許請求の範囲】
【請求項１】
電界伝達媒体に電界を誘起させて信号を送受信するトランシーバにおいて、
電界伝達媒体を介して他のトランシーバに送信すべき信号を回路グラウンドを基準にして生成する送信回路と、
他のトランシーバから電界伝達媒体を介して送信された信号を前記回路グラウンドを基準にして受信する受信回路と、
前記送信回路の出力端子と前記受信回路の入力端子とに接続された信号電極と、
前記信号電極に絶縁体を介して沿わされ、前記回路グラウンドに接続されたグラウンド電極と
を備えることを特徴とするトランシーバ。
【請求項２】
前記受信回路は、
他のトランシーバから電界伝達媒体を介して送信された信号を前記回路グラウンドから絶縁された第２の回路グラウンドを基準にして光により検出する光センサ
を備えることを特徴とする請求項１記載のトランシーバ。
【請求項３】
前記信号電極に絶縁体を介して沿わされ、前記第２の回路グラウンドに接続されたグラウンド電極
を備えることを特徴とする請求項２記載のトランシーバ。
【請求項４】
前記グラウンド電極の形状は前記信号電極の形状に等しく、当該グラウンド電極は当該信号電極の形状のとおりに沿わされている
ことを特徴とする請求項１ないし３のいずれかに記載のトランシーバ。
【発明の詳細な説明】
【技術分野】
【０００１】
本発明は、電界伝達媒体に電界を誘起させて信号を送受信するトランシーバに関するものである。
【背景技術】
【０００２】
近年にあっては、通信ケーブルに代えて、人に使用される物などに電界を誘起させることにより通信を行える。
【０００３】
図６（ａ）は、共通の電極を使用して電界を誘起させる通信の例を示す図である。
【０００４】
例えば、テーブル１の部分１ａにコンピュータＣが置かれ、コンピュータＣに接続されたトランシーバＴＲ１が、コンピュータＣの裏側に配置された電極Ｐ１に信号を印加する。これにより、テーブル１の部分１ａに電界が誘起され、テーブル１の部分１ａの底面に配置された電極Ｐ２に信号が印加される。トランシーバＴＲ２は、電極Ｐ２を介して信号を受信する。
【０００５】
また、トランシーバＴＲ２は、電極Ｐ２に信号を印加する。これにより、テーブル１の部分１ａに電界が誘起され、電極Ｐ１に信号が印加される。トランシーバＴＲ１は、電極Ｐ１を介して信号を受信する。
【非特許文献１】"RedTacton"、［ｏｎｌｉｎｅ］、日本電信電話株式会社、［平成２０年２月１日検索］、インターネット＜ＵＲＬ：http://www.redtacton.com/＞
【発明の開示】
【発明が解決しようとする課題】
【０００６】
上記のように、トランシーバＴＲ１は、信号の送受信に共通の電極Ｐ１を使用しており、トランシーバＴＲ２も同様の電極Ｐ２を使用しており、もって、構成が簡素化される。
【０００７】
また、従来にあっては、トランシーバＴＲ１、ＴＲ２が信号を送受信でき、その際、電界はテーブル１の部分１ａに誘起される
しかしながら、図６（ａ）に示すように、実際の電界は、テーブル１の部分１ａ以外の箇所や周囲空間にも弱いながら誘起されており、そのため、その電界が検出されて信号が盗聴される虞がある。また、他の電極Ｐ３を介してトランシーバＴＲ３がその電界により信号を受信してしまう、つまり、混信の虞もある。
【０００８】
また、電極Ｐ１などが信号を送信するとき、その周囲空間には、放射電磁界が生じており、その電磁界が検出されて信号が盗聴される虞がある。
【０００９】
一方、図６（ｂ）に示すように、電極Ｐ１などは信号を受信するとき、電極Ｐ３を介してトランシーバＴＲ３が信号を送信していれば、電極Ｐ１から電界をノイズとして受信しており、そのため、受信感度が低下し、信号を受信できない虞がある。
【００１０】
すなわち、上記のトランシーバのように、信号送信のために電界を局所的に誘起させ、また、そのような電界により信号受信を行う目的で、共通の電極を使用すると、信号盗聴や混信や受信感度の低下といった不都合がある。
【００１１】
本発明は、上記の課題に鑑みてなされたものであり、その目的とするところは、通信のための電界を局所的に誘起させる際の不都合を解消できるトランシーバを提供することにある。
【課題を解決するための手段】
【００１２】
上記の課題を解決するために、請求項１の本発明は、電界伝達媒体に電界を誘起させて信号を送受信するトランシーバにおいて、電界伝達媒体を介して他のトランシーバに送信すべき信号を回路グラウンドを基準にして生成する送信回路と、他のトランシーバから電界伝達媒体を介して送信された信号を前記回路グラウンドを基準にして受信する受信回路と、前記回路の出力端子と前記受信回路の入力端子とに接続された信号電極と、前記信号電極に絶縁体を介して沿わされ、前記回路グラウンドに接続されたグラウンド電極とを備えることを特徴とするトランシーバをもって解決手段とする。
【００１３】
請求項１の本発明によれば、信号電極に絶縁体を介してグラウンド電極を沿わせたことで、電界が誘起される部分以外に及ぶ電界や放射電磁界が弱くなり、よって、信号盗聴や混信の虞を低減することができる。また、信号電極に絶縁体を介してグラウンド電極を沿わせたことで、信号電極により受信される他のトランシーバからの電界のノイズが小さくなるので、信号の受信感度を高めることができ、トランシーバは、信号を直接送信してくるトランシーバでないトランシーバの近くにあっても、信号を直接送信してくるトランシーバからの信号を確実に受信することができる。
【００１４】
請求項２の本発明は、前記受信回路は、他のトランシーバから電界伝達媒体を介して送信された信号を前記回路グラウンドから絶縁された第２の回路グラウンドを基準にして光により検出する光センサを備えることを特徴とする請求項１記載のトランシーバをもって解決手段とする。
【００１５】
請求項２の本発明にあっては、光センサにより信号を受信するようにしている。
【００１６】
請求項３の本発明は、前記信号電極に絶縁体を介して沿わされ、前記第２の回路グラウンドに接続されたグラウンド電極を備えることを特徴とする請求項２記載のトランシーバをもって解決手段とする。
【００１７】
請求項３の本発明によれば、光センサによる信号の受信感度を高めることができ、トランシーバは、信号を直接送信してくるトランシーバでないトランシーバの近くにあっても、信号を直接送信してくるトランシーバからの信号を確実に受信することができる。
【００１８】
請求項４の本発明は、前記グラウンド電極の形状は前記信号電極の形状に等しく、当該グラウンド電極は当該信号電極の形状のとおりに沿わされていることを特徴とする請求項１ないし３のいずれかに記載のトランシーバをもって解決手段とする。
【００１９】
請求項４の本発明によれば、電界が誘起される部分以外に及ぶ電界や放射電磁界が一層弱くなり、よって、信号盗聴や混信の虞を一層低減することができる。また、信号電極により受信される他のトランシーバからの電界のノイズが小さくなるので、信号の受信感度をより高めることができ、トランシーバは、信号を直接送信してくるトランシーバでないトランシーバの近くにあっても、信号を直接送信してくるトランシーバからの信号をより確実に受信することができる。
【発明の効果】
【００２０】
本発明によれば、信号電極に絶縁体を介してグラウンド電極を沿わせたことで、電界が誘起される部分以外に及ぶ電界や放射電磁界が弱くなり、よって、信号盗聴や混信の虞を低減することができる。また、信号電極に絶縁体を介してグラウンド電極を沿わせたことで、信号電極により受信される他のトランシーバからの電界のノイズが小さくなるので、信号の受信感度を高めることができ、トランシーバは、信号を直接送信してくるトランシーバでないトランシーバの近くにあっても、信号を直接送信してくるトランシーバからの信号を確実に受信することができる。
【発明を実施するための最良の形態】
【００２１】
以下、本発明の実施の形態を図面を参照して説明する。
【００２２】
図１は、本実施の形態に係るトランシーバを利用した通信システムの構成図である。
【００２３】
本システムは、電界を伝達する媒体（電界伝達媒体）に電界を誘起させて信号を送受信するものであり、図１において、１はその電界伝達媒体であるテーブル、２、３は携帯端末、４、５、６、７はテーブル１に電界を誘起させて信号を送受信するトランシーバ、４０、５０、６０、７０はそれぞれトランシーバ４、５、６、７の本体、８はハブ、９はローカルエリアネットワークである。
【００２４】
本システムは、例えば、テーブル１の部分１ａに置かれた携帯端末２に接続されたトランシーバ４が情報を送信し、それをテーブル１の部分１ｂに置かれた携帯端末３に接続されたトランシーバ５が、テーブル１、トランシーバ６、ハブ８、トランシーバ７などを介して、受信する場合、トランシーバ４により発生する電界や放射電磁界を極力弱め、もって、盗聴の防止を図るものである。また、本システムは、トランシーバ４等により発生する電界を極力弱め、もって、図示しないトランシーバが電界を検出してしまい、混信が生じるのを防止するものである。また、本システムは、例えばトランシーバ４が逆の経路で伝送される信号を受信する場合、信号の受信感度を高め、トランシーバ４が、信号を直接送信してくるトランシーバ６でないトランシーバ５の近くにあっても、信号を直接送信してくるトランシーバ６からの信号を確実に受信し、その結果、テーブル１の部分１ａ、１ｂが互いに近接していても、情報を確実に送受信できるようにするものである。
【００２５】
トランシーバ４、５は、それぞれ携帯端末２、３のカードインタフェースポートなどに接続される。トランシーバ６、７は、通信ケーブルを介してハブ８に接続される。ハブ８は、ローカルエリアネットワーク９に接続される。
【００２６】
図１において、４１１、４１２および４１３は、それぞれトランシーバ４を構成する信号電極、絶縁体およびグラウンド電極であり、携帯端末２の一側面に設けられる。グラウンド電極４１３は、側面に対向し、リード線などで本体４０内の回路グラウンドに接続される。信号電極４１１は絶縁体４１２を介してグラウンド電極４１３に沿わされ、リード線などで本体４０内の信号線に接続されている。
【００２７】
図２に示すように、例えば、信号電極４１１、絶縁体４１２およびグラウンド電極４１３は、共に矩形平板状であり、形状のとおりに重なりあっている。
【００２８】
図１において、５１１、５１２および５１３は、トランシーバ５を構成する信号電極、絶縁体およびグラウンド電極であり、携帯端末３の一側面に設けられる。グラウンド電極５１３は、側面に対向し、リード線などで本体５０内の回路グラウンドに接続される。信号電極５１１は絶縁体５１２を介してグラウンド電極５１３に沿わされ、リード線などで本体５０内の信号線に接続されている。なお、図２と同様に、例えば、信号電極５１１、絶縁体５１２およびグラウンド電極５１３は、共に矩形平板状であり、形状のとおりに重なりあっている。
【００２９】
図１において、６１１、６１２および６１３は、トランシーバ６を構成する信号電極、絶縁体およびグラウンド電極であり、テーブル１の部分１ａの底面に設けられる。信号電極６１１は、底面に対向し、リード線などで本体６０内の信号線に接続される。グラウンド電極６１３は絶縁体６１２を介して信号電極６１１に沿わされ、リード線などで本体６０内の回路グラウンドに接続されている。なお、図２と同様に、例えば、信号電極６１１、絶縁体６１２およびグラウンド電極６１３は、共に矩形平板状であり、形状のとおりに重なりあっている。
【００３０】
図１において、７１１、７１２および７１３は、トランシーバ７を構成する信号電極、絶縁体およびグラウンド電極であり、テーブル１の部分１ｂの底面に設けられる。信号電極７１１は、底面に対向し、リード線などで本体７０内の信号線に接続される。グラウンド電極７１３は絶縁体７１２を介して信号電極７１１に沿わされ、リード線などで本体７０内の回路グラウンドに接続されている。なお、図２と同様に、例えば、信号電極７１１、絶縁体７１２およびグラウンド電極７１３は、共に矩形平板状であり、形状のとおりに重なりあっている。
【００３１】
図３は、トランシーバ４の一構成例を示すブロック図である。
【００３２】
図３において、４０１は増幅器である送信部、４０２は増幅器である受信部、４０３はデジタル回路、４０４はインタフェース回路であり、それぞれはトランシーバ４の本体４０内に設けられている。
【００３３】
信号電極４１１は、送信部４０１の出力端子と受信部４０２の入力端子とにリード線などで接続されている。グラウンド電極４１３は、回路グラウンド４０Ｇにリード線などで接続されている。インタフェース回路４０４は、コネクタなどで携帯端末２に接続されている。送信部４０１は、回路グラウンド４０Ｇを基準に信号を生成し、受信部４０２は、回路グラウンド４０Ｇを基準にして信号を受信する。
【００３４】
なお、説明を簡略化するが、トランシーバ５は、トランシーバ４と同様の構成であり、そのインタフェース回路は、コネクタなどで携帯端末３に接続されている。
【００３５】
同様に説明を簡略化するが、トランシーバ６は、トランシーバ４等と同様の構成であり、そのインタフェース回路は、通信ケーブルでハブ８に接続されている。
【００３６】
同様に説明を簡略化するが、トランシーバ７は、トランシーバ４等と同様の構成であり、そのインタフェース回路は、通信ケーブルでハブ８に接続されている。
【００３７】
図４（ａ）は、トランシーバ４の別の構成例を示すブロック図である。
【００３８】
ここでは、図３との違いを説明する。受信部４０２は、信号を光により検出する光センサ４０２１と増幅器４０２２とを備えている。また、グラウンド電極４１４は、絶縁体４１２を介して信号電極４１１に沿わされ、回路グラウンド４０Ｇから絶縁された第２の回路グラウンド４０Ｇ’にリード線などで接続されている。グラウンド電極４１４は、絶縁体４１２によって、グラウンド電極４１３とは絶縁されている。光センサ４０２１は、第２の回路グラウンド４０Ｇ’を基準にして光により信号を受信する。
【００３９】
図４（ｂ）は、光センサ４０２１の構成例を示すブロック図である。
【００４０】
図４（ｂ）において、４０２１１は光源、４０２１２は電気光学結晶、４０２１３および４０２１４は電気光学結晶４０２１２に設けられた電極、４０２１５は光電変換回路である。電極４０２１３は、リード線などで信号電極４１１に接続されている。電極４０２１４は、リード線などで、回路グラウンド４０Ｇから絶縁された第２の回路グラウンド４０Ｇ’に接続されている。光源４０２１１は、電気光学結晶４０２１２に光（レーザ光）を入射する。光電変換回路４０２１５は、電気光学結晶４０２１２から出射した光を電気信号に変換する。
【００４１】
なお、トランシーバ５、６、７も図４のように構成してよい。また、トランシーバ４〜７に、図３のものと図４のものが混在していてもよい。
【００４２】
（本実施の形態の動作）
次に、本実施の形態の動作の一例として、まず、携帯端末２から携帯端末３に情報Ａを送信する動作を説明する。情報Ａは、例えば、会話文などである。
【００４３】
図１において、テーブル１の部分１ａに置かれた携帯端末２はトランシーバ４に情報Ａを送信する。図３、図４等において、トランシーバ４では、インタフェース回路４０４が情報Ａを受信し、デジタル回路４０３に転送する。デジタル回路４０３は、情報Ａを情報Ａに応じたデジタル信号に変換し、送信部４０１に与える。送信部４０１は、情報Ａに応じたデジタル信号を回路グラウンド４０Ｇを基準に増幅し、増幅された信号をリード線などの信号線を介して信号電極４１１に印加する。
【００４４】
図１に戻り、信号電極４１１により、テーブル１の部分１ａに情報Ａに応じた電界が誘起される。上記のように、絶縁体４１２を介して信号電極４１１にグラウンド電極４１３を沿わせたことで、このとき、テーブル１の部分１ａ以外に及ぶ電界や放射電磁界が弱くなり、よって、信号盗聴や混信の虞を低減することができる。また、後述するが、トランシーバ５は情報Ａに応じた信号をトランシーバ７から受信する。その際、この電界がノイズとなるが、ノイズは小さくなるので、信号の受信感度を高めることができ、トランシーバ５は、信号を直接送信してくるトランシーバ７でないトランシーバ４の近くにあっても、信号を直接送信してくるトランシーバ７からの信号を確実に受信することができる。
【００４５】
さて、テーブル１の部分１ａに誘起された電界により、情報Ａに応じた信号が信号電極６１１に印加される。これ以降、トランシーバ６を図３や図４の構成として説明する。
【００４６】
トランシーバ６では、図３の受信部４０２が、信号電極４１１（図１の信号電極６１１）からリード線などの信号線を介して到来した信号を回路グラウンド４０Ｇを基準にして増幅し、こうして情報Ａを得る。後述するが、トランシーバ７は、情報Ａに応じた信号を送信する。このとき発生する電界が少ないながらもノイズとなり、これを信号電極４１１（図１の信号電極６１１）が受信する。上記のように、トランシーバ６では、絶縁体４１２を介して信号電極４１１にグラウンド電極４１３を沿わせたことで、ノイズは小さくなるので、信号の受信感度を高めることができ、トランシーバ６は、信号を送信してくるトランシーバ４でないトランシーバ７の近くにあっても、信号を送信してくるトランシーバ４からの信号を確実に受信することができる。
【００４７】
なお、図４にあっては、光センサ４０２１が、回路グラウンド４０Ｇから絶縁された第２の回路グラウンド４０Ｇ’を基準にして光により信号を受信し、増幅器４０２２が信号を増幅し、こうして情報Ａを得る。
【００４８】
図４（ｂ）に示す光センサ４０２１では、信号が電極４０２１３に印加され、これにより、第２の回路グラウンド４０Ｇ’の電位と信号の電位との差に応じた電界が電気光学結晶４０２１２に与えられる。これにより、電気光学結晶４０２１２では、光源４０２１１から入射した光が電界により変調される。光電変換回路４０２１５は、電気光学結晶４０２１２から出射した変調光を電気信号に変換し、こうして情報Ａを得る。上記のように、トランシーバ６では、絶縁体４１２を介して信号電極４１１にグラウンド電極４１４を沿わせたことで、同様に、信号電極４１１により受信されるトランシーバ７からの電界のノイズは小さくなるので、電気光学結晶４０２１５から出射した光におけるノイズも小さくなり、信号の受信感度を高めることができ、トランシーバ６は、信号を送信してくるトランシーバ４でないトランシーバ７の近くにあっても、信号を送信してくるトランシーバ４からの信号を確実に受信することができる。
【００４９】
トランシーバ６では、得られた情報Ａを適宜処理し、インタフェース回路４０４に与え、インタフェース回路４０４は情報Ａを通信ケーブルとハブ８を介して、トランシーバ７に送信する。
【００５０】
トランシーバ７は、トランシーバ４と同様にして、情報Ａに応じた信号を信号電極７１１に印加し、これにより、テーブル１の部分１ｂに情報Ａに応じた電界が誘起される。このとき、同様に、テーブル１の部分１ｂ以外に及ぶ電界や放射電磁界が弱くなり、よって、信号盗聴や混信の虞を低減することができる。
【００５１】
また、携帯端末３がテーブル１の部分１ｂに置かれた状態でトランシーバ５は、トランシーバ６と同様にして、信号電極５１１に印加された信号により情報Ａを得て、これを携帯端末３に送信する。このとき、同様に、信号電極５１１により受信されるトランシーバ４からの電界のノイズは小さくなるので、信号の受信感度を高めることができ、トランシーバ５は、信号を直接送信してくるトランシーバ７でないトランシーバ４の近くにあっても、信号を直接送信してくるトランシーバ７からの信号を確実に受信することができる。  同様に、携帯端末３から携帯端末２に情報Ｂを送信することができ、その動作は、以下の通りである。
【００５２】
トランシーバ５は、携帯端末３から受信した情報Ｂに応じた信号を信号電極５１１に印加し、これにより、テーブル１の部分１ｂに情報Ｂに応じた電界が誘起される。このとき、同様に、テーブル１の部分１ｂ以外に及ぶ電界や放射電磁界が弱くなり、よって、信号盗聴や混信の虞を低減することができる。また、後述するが、トランシーバ４は情報Ｂに応じた信号をトランシーバ６から受信する。その際、この電界がノイズとなるが、ノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【００５３】
トランシーバ７は、信号電極７１１に印加された信号により情報Ｂを得て、これをハブ８を介してトランシーバ６に送信する。後述するが、トランシーバ６は、情報Ｂに応じた信号を送信する。このとき発生する電界が少ないながらもノイズとなるが、同様に、ノイズは小さくなるので、信号の受信感度を高めることができ、トランシーバ７は、信号を送信してくるトランシーバ５でないトランシーバ６の近くにあっても、信号を送信してくるトランシーバ５からの信号を確実に受信することができる。
【００５４】
トランシーバ６は、送信された情報Ｂに応じた信号を信号電極６１１に印加し、これにより、テーブル１の部分１ａに情報Ｂに応じた電界が誘起される。このとき、同様に、テーブル１の部分１ａ以外に及ぶ電界や放射電磁界が弱くなり、よって、信号盗聴や混信の虞を低減することができる。
【００５５】
トランシーバ４は、信号電極４１１に印加された信号により情報Ｂを得て、これを携帯端末２に送信する。このとき、同様に、信号電極４１１により受信されるトランシーバ５からの電界のノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【００５６】
以上のとおり、例えば、トランシーバ４は、テーブル１の部分１ａを介してトランシーバ６に送信すべき信号を回路グラウンド４０Ｇを基準にして生成する送信回路（送信部４０１）と、トランシーバ６からテーブル１の部分１ａを介して送信された信号を回路グラウンド４０Ｇを基準にして受信する受信回路（受信部４０２）と、送信回路の出力端子と受信回路の入力端子とに接続された信号電極４１１と、信号電極４１１に絶縁体４１２を介して沿わされ、回路グラウンド４０Ｇに接続されたグラウンド電極４１３とを備える。  トランシーバ４によれば、信号電極４１１に絶縁体４１２を介してグラウンド電極４１３を沿わせたことで、テーブル１の部分１ａ以外に及ぶ電界や放射電磁界が弱くなり、よって、信号盗聴や混信の虞を低減することができる。また、信号電極４１１に絶縁体４１２を介してグラウンド電極４１３を沿わせたことで、信号電極４１１により受信されるトランシーバ５からの電界のノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【００５７】
また、図４（ａ）に示すように、トランシーバ４の受信回路は、トランシーバ６から送信された信号を第２の回路グラウンド４０Ｇ’を基準にして光により検出する光センサ４０２１を備える。
【００５８】
また、このトランシーバ４は、信号電極４１１に絶縁体４１２を介して沿わされ、第２の回路グラウンド４０Ｇ’に接続されたグラウンド電極４１４を備える。
【００５９】
かかる構成によれば、光センサ４０２１による信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【００６０】
また、図２に示すように、グラウンド電極４１３の形状は信号電極４１１の形状に等しく、グラウンド電極４１３は信号電極４１１の形状のとおりに沿わされていることで、テーブル１の部分１ａ以外に及ぶ電界や放射電磁界が一層弱くなり、よって、信号盗聴や混信の虞を一層低減することができる。また、グラウンド電極４１３の形状は信号電極４１１の形状に等しく、グラウンド電極４１３は信号電極４１１の形状のとおりに沿わされていることで、信号電極４１１により受信されるトランシーバ５からの電界のノイズはより小さくなるので、信号の受信感度をより高めることができ、トランシーバ４は、信号を直接送信してくるトランシーバ６でないトランシーバ５の近くにあっても、信号を直接送信してくるトランシーバ６からの信号をより確実に受信することができる。
【００６１】
また、他のトランシーバにおいても同様の効果を得ることができる。
【００６２】
その結果、本実施の形態によれば、テーブル１の部分１ａ、１ｂが互いに近接していても、情報を確実に送受信することができる。
【００６３】
なお、以上は、本発明のトランシーバに係る一実施の形態であり、以下のような態様で実施してもよい。
【００６４】
まず、図４のように、グラウンド電極４１４を信号電極４１１に沿わせるのでなく、例えば、図５に示すように、グラウンド電極４１４をトランシーバ４の本体４０の外側に沿わせてもよい。
【００６５】
また、図１のように、信号電極４１１、絶縁体４１２およびグラウンド電極４１３などを携帯端末２などに設けるのでなく、トランシーバ４などに設けてもよい。
【００６６】
また、携帯端末などの代わりに可搬型や据え置き型の装置（コンピュータ）を使用してもよい。また、トランシーバは、端末や装置内に組み込んでもよい。
【００６７】
また、電界伝達媒体は、テーブルでなく、例えば、人体、壁、床などでもよい。
【図面の簡単な説明】
【００６８】
【図１】本実施の形態に係るトランシーバを利用した通信システムの構成図である。
【図２】信号電極４１１、絶縁体４１２およびグラウンド電極４１３の構成例を示す図である。
【図３】トランシーバ４の一構成例を示すブロック図である。
【図４】トランシーバ４の別の構成例を示すブロック図である。
【図５】トランシーバ４の更に別の構成例を示すブロック図である。
【図６】共通の電極を使用して電界を誘起させる通信の例を示す図である。
【符号の説明】
【００６９】
１…テーブル
２、３…携帯端末
４、５、６、７、ＴＲ１、ＴＲ２、ＴＲ３…トランシーバ
４０Ｇ…回路グラウンド
４０Ｇ’…第２の回路グラウンド
４０１…送信部
４０２…受信部
４０３…デジタル回路
４０４…インタフェース回路
４１１、５１１、６１１、７１１…信号電極
４１２、５１２、６１２、７１２…絶縁体
４１３、４１４、５１３、６１３、７１３…グラウンド電極
４０２１…光センサ
４０２２…増幅器
４０２１１…光源
４０２１２…電気光学結晶
４０２１３、４０２１４…電極
４０２１５…光電変換回路
Ｃ…コンピュータ
Ｐ１、Ｐ２、Ｐ３…電極
【図１】
2009290759.tif 000003
【図２】
2009290759.tif 000004
【図３】
2009290759.tif 000005
【図４】
2009290759.tif 000006
【図５】
2009290759.tif 000007
【図６】
2009290759.tif 000008